(57)【特許請求の範囲】
【請求項１】
製紙プラントで巻取り紙を裁断するための引裂きストリップであって、
紙ストリップが上に折り重ねられて中央ストリップ部分と側方ストリップ部分とを画定する際の２本の長手延在側方折り目が形成された長尺紙ストリップであって、前記中央ストリップ部分が前記側方ストリップ部分よりも少なくとも１．５倍大きな厚さを有して、前記中央ストリップ部分が前記引裂きストリップの幅の１０分の８から３分の１の幅を有し、前記側方ストリップ部分の各々が前記引裂きストリップの幅の１０分の１から３分の１の幅を有し、前記中央ストリップ部分が少なくとも４層を備える少なくとも四重層状となるための少なくとも一つの折り目を前記中央ストリップ部分が有する、長尺紙ストリップ、
を含む引裂きストリップ。
【請求項２】
前記紙ストリップが再び折り返される際の少なくとも２本の長手延在折り目が前記中央ストリップ部分に形成されるため、前記引裂きストリップの中央領域が少なくとも５層を備える少なくとも五重層状である、請求項１に記載の引裂きストリップ。
【請求項３】
前記紙ストリップが再び折り返される際の３本の別の長手延在折り目が前記中央ストリップ部分に形成されるため、前記引裂きストリップの前記中央領域が少なくとも６層を備える少なくとも六重層状である、請求項２に記載の引裂きストリップ。
【請求項４】
互いの上に折り重ねられる前記引裂きストリップの部分が部分的または全体的に互いに接着剤結合される、請求項１に記載の引裂きストリップ。
【請求項５】
互いの上に折り重ねられる前記中央ストリップ部分の部分が部分的または全体的に互いに接着剤結合される、請求項１に記載の引裂きストリップ。
【請求項６】
前記引裂きストリップを形成する前記長尺紙ストリップがクラフト紙から製造される、請求項１に記載の引裂きストリップ。
【発明の詳細な説明】
【技術分野】
【０００１】
［関連出願の相互参照］
本出願は、２０１５年１０月２２日に出願されたオーストリア特許第ＡＴ  Ａ  ６９０／２０１５号について特許法第１１９条に基づく優先権を主張し、この先行出願は、参照によりその全体が援用される。
【０００２】
本発明は、紙を生産するためのプラントから移動してドラムに巻かれる巻取り紙を裁断することにより空ドラムへの巻取り紙の巻取りを可能にするための、紙から成る引裂きストリップに関する。引裂きストリップは、紙ストリップが上に折り重ねられる際の２本の長手延在側方折り目を有する構成を持つ紙ストリップから成り、側方ストリップ部分と比べた中央ストリップ部分が少なくとも１．５倍大きい厚さを有し、中央ストリップ部分の幅が紙ストリップの幅の少なくとも５分の１であり、さらに側方ストリップ部分の幅がそれぞれ、中央ストリップ部分の幅の少なくとも１０分の１である。
【背景技術】
【０００３】
引裂きストリップは、発明者自身による特許文献１および対応の特許文献２から周知である。この引裂きストリップは、裁断される巻取り紙の片側から反対側へ引裂きストリップがガイドダクト内を案内されるための二つの側方ストリップ部分を有する。さらに、引裂きストリップは、引裂き機能が達成されるための中央ストリップ部分を有する。この引裂きストリップがガイドダクトから引き出されるために、中央ストリップ部分と比べて二つの側方ストリップ部分は、実質的に小さい厚さを有する構成を持つ。このため、この引裂きストリップは、破損なくガイドダクトから引き出されるのに充分な弾性を備えている。中央ストリップ部分は、紙紐、複数層の紙ストリップ、または肉厚の紙ストリップから成るインサートまたはオーバレイを備えている。
【０００４】
この引裂きストリップの機能形態に関しては、上述の特許文献１および特許文献２の記載を参照すること。
【０００５】
このタイプの引裂きストリップによって、一方ではガイドダクトからの引裂きストリップの引き出しによる破損を回避するような側方領域の弾性に関する、また他方では高い引裂き抵抗に関する要件集合が、充分に満たされる。しかし、この周知の引裂きストリップの一つの短所は、引裂きストリップが配置されて巻取り紙の裁断手順で形成される巻取り紙の残部がリサイクルされる時に紙紐の分解が非常に困難だということにある。さらなる短所は、この引裂きストリップの製造中に、中央領域に配置されているオーバレイまたはインサートがそれぞれ、紙ストリップに付着され、中央位置に保持され、紙ストリップに締結され、そのため製造において非常に高い複雑性が生じることにある。
【０００６】
引裂きストリップが上に折り重ねられる際の２本の長手延在側方折り目を有する構成を持つ引裂きストリップは、さらに特許文献３から周知であり、同文献では、側方ストリップ部分と比べて中央ストリップ部分が、およそ１．５倍大きい厚さを有し、中央ストリップ部分の幅が引裂きストリップの幅のおよそ５分の３であり、側方ストリップ部分の幅がそれぞれ引裂きストリップの幅のおよそ５分の１である。
【０００７】
この引裂きストリップの場合のエッジが折り目により形成されるので、切断された紙のエッジと比べてエッジ引裂き強度が実質的に向上する。しかし、中央領域のこの引裂きストリップは、三重層状のみで構成され、そのため、引裂きストリップの引張り強度は裁断手順には不充分である。この理由から、引裂きストリップが比較的厚い紙ストリップから製造されることが必要となる。しかし厚い紙ストリップの場合には、引裂きストリップがガイドダクトから引き出される時の破損を避けるには、側方ストリップ部分の弾性は不充分である。また、切断エッジにより、中央ストリップ部分はわずかなエッジ引裂き強度を有するに過ぎない。
【先行技術文献】
【特許文献】
【０００８】
【特許文献１】米国特許第９，３４０，９２８  Ｂ２号明細書
【特許文献２】欧州特許出願公開第２  ８６８  ６０５  Ａ１号明細書
【特許文献３】米国特許第７，７９４，８１６  Ｂ２号明細書
【発明の概要】
【発明が解決しようとする課題】
【０００９】
したがって、この一般的なタイプの周知の装置および方法の上述および他の短所を克服する紙バンド引裂きストリップを提供することが、本発明の目的である。
【課題を解決するための手段】
【００１０】
以上および他の目的を検討すると、本発明により、製紙プラントから移動してドラムに巻かれる巻取り紙を裁断するためと、空ドラムへの巻取り紙の巻取りを可能にするための、紙から成る引裂きストリップが提供される。新規の引裂きストリップは、
紙ストリップが上に折り重ねられる際の２本の長手延在側方折り目が形成されて中央ストリップ部分と側方ストリップ部分とを画定する長尺紙ストリップ、
を含み、
中央ストリップ部分は側方ストリップ部分よりも少なくとも１．５倍大きな厚さを有して、中央ストリップ部分は紙ストリップの幅の少なくとも５分の１の幅を有し、
側方ストリップ部分の各々が、中央ストリップ部分の幅の少なくとも１０分の１の幅を有し、
中央ストリップ部分が少なくとも４層を含む少なくとも四重層状となるための少なくとも一つの折り目を、中央ストリップ部分が有する。
【００１１】
言い換えると、少なくとも四重層状となるように中央ストリップ部分が構成されるための一つの折り目を少なくとも有するように中央ストリップ部分が構成されることで、発明の目的が達成される。
【００１２】
好ましくは、中央ストリップ部分が、紙ストリップが再び折り返される際の少なくとも２本の長手延在折り目を有する構成であり、そのため中央領域の引裂きストリップが少なくとも五重層状である。
【００１３】
別の好適な一実施形態によれば、中央ストリップ部分は、紙ストリップが再び折り返される際の別の３本の長手延在折り目を有する構成であり、そのため中央領域の引裂きストリップは少なくとも六重層状である。
【００１４】
好ましくは、本発明による引裂きストリップの場合に、別の引裂きストリップの上に折り重ねられるストリップ部分は部分的または全体的に互いに接着剤結合される。別の好適な一特徴によれば、本発明による引裂きストリップはクラフト紙から製造される。
【００１５】
発明の特性と考えられる他の特徴は、添付の請求項に提示される。
【００１６】
巻取り紙を裁断するための引裂き紙ストリップで具現されるものとして発明が図示および説明されるが、それにもかかわらず、発明の趣旨を逸脱することなく、また請求項の同等物の範囲範疇の中で、様々な変形と構造上の変更が行われうるので、示された詳細に発明が限定されることは意図されていない。
【００１７】
しかし、発明の構造および操作方法は、その付加的な目的および利点とともに、添付図面と関連して解釈されると、特定実施形態についての以下の説明から最もよく理解されるだろう。
【図面の簡単な説明】
【００１８】
【図１】本発明による引裂きストリップの例示的実施形態の軸測（斜視）図である。
【図２】本発明による引裂きストリップの例示的実施形態を軸測図で示す。
【図３】本発明による引裂きストリップの例示的実施形態を軸測図で示す。
【図４】本発明による引裂きストリップの例示的実施形態を軸測図で示す。
【図５】本発明による引裂きストリップの例示的実施形態を軸測図で示す。
【図６】本発明による引裂きストリップの例示的実施形態を軸測図で示す。
【図７】本発明による引裂きストリップの例示的実施形態を軸測図で示す。
【図８】本発明による引裂きストリップの例示的実施形態を軸測図で示す。
【発明を実施するための形態】
【００１９】
さて、図面の図を詳細に、最初は特に図１を参照すると、紙ストリップ１から製造されて、紙ストリップが上に折り重ねられる際の２本の長手延在折り目２，３を有する構成を持つ引裂きストリップ１０が示されている。紙ストリップ１の領域６は、折り目２から引裂きストリップ１０の中央領域１３にわたって延在している。紙ストリップ１の領域７も同様に、折り目３から引裂きストリップ１０の中央領域１３にわたって延在しており、中央領域では二つの周辺領域６，７の重複が行われている。領域７は、紙ストリップ１の側方領域８が再び折り返される際の別の折り目４を有する構成を持つ。引裂きストリップ１０の二つの側方領域１１，１２は二重層状であり、引裂きストリップ１０の中央領域１３は四重層状である。引裂きストリップ１０の側方領域１１，１２および中央領域１３の幅はそれぞれ、引裂きストリップ１０の幅のおよそ３分の１である。
【００２０】
紙ストリップ１ａから製造されて、同様に２本の長手延在折り目２ａ，３ａを有する構成を持つ引裂きストリップ１０ａが図２に図示されており、外側領域はそれぞれ引裂きストリップ１０ａの両側の一方に折り返されている。折り目３ａの外側で側方に配置されている紙ストリップ１ａの領域１１ａは、引裂きストリップ１０ａの中央領域１３ａまで延在している。折り目２ａの外側に側方に配置されて同様に折り返される領域６ａも同様に、引裂きストリップ１０ａの中央領域１３ａまで延在し、領域６ａが折り返される際の別の折り目４ａを有する構成を持つ。そのため、紙ストリップ１ａの周辺領域８ａは、引裂きストリップ１０ａの中央領域１３ａに配置されている。
【００２１】
引裂きストリップ１０ａの側方領域１１ａ，１２ａは二重層状であって、引裂きストリップ１０ａの中央領域１３ａは四重層状である。引裂きストリップ１０ａの側方領域１１ａ，１２ａおよび中央領域１３ａの幅はそれぞれ、引裂きストリップ１０ａの幅のおよそ３分の１である。
【００２２】
紙ストリップ１ｂの側方領域が引裂きストリップ１０ｂの下側および上側に折り返される際の２本の長手延在折り目２ｂ，３ｂを備える紙ストリップ１ｂから製造される引裂きストリップ１０ｂが、図３に図示されている。そのため、引裂きストリップ１ｂの二つの側方領域１１ｂ，１２ｂは二重層状である。
【００２３】
紙ストリップ１ｂが再び折り返される際の別の２本の長手延在折り目４ｂ，５ｂが引裂きストリップ１０ｂの中央領域１３ｂに設けられ、そのため、引裂きストリップ１０ｂの中央領域１３ｂに配置される二つの領域６ｂ，７ｂが形成される。こうして、さらに３層が引裂きストリップ１０ｂの中央領域１３ｂに配置され、そのため、中央領域１３ｂでの引裂きストリップ１０ｂは五重層状である。
【００２４】
引裂きストリップ１０ｂの側方領域１１ｂ，１２ｂおよび中央領域１３ｂの幅はそれぞれ、引裂きストリップ１０ｂの幅のおよそ３分の１である。
【００２５】
紙ストリップ１ｃが引裂きストリップ１０ｃの両側に折り返される際の２本の長手延在折り目２ｃ，３ｃを同様に有する構成を持つ紙ストリップ１ｃから製造される引裂きストリップ１０ｃが、図４に図示されている。ここで、引裂きストリップ１０ｃの二つの側方領域１１ｃ，１２ｃは二重層状である。また、引裂きストリップ１０ｃは、紙ストリップ１ｃの二つの側方領域の各々が折り返される際の別の２本の長手延在折り目４ｃ，５ｃを有する構成を持ち、そのため、引裂きストリップ１０ｃの中央領域１３ｃに配置される領域６ｃ，７ｃが形成される。そのため、引裂きストリップ１０ｃの中央領域１３ｃは五重層状である。
【００２６】
引裂きストリップ１０ｃの側方領域１１ｃ，１２ｃおよび中央領域１３ｃの幅はそれぞれ、引裂きストリップ１０ｃの幅のおよそ３分の１である。
【００２７】
紙ストリップ１ｄが折り返される際の２本の長手延在折り目２ｄ，３ｄを有する構成を持つ紙ストリップ１ｄから製造される裂きストリップ１０ｄが、図５に図示されている。ここで、引裂きストリップ１ｄの二つの側方領域１１ｄ，１２ｄは、二重層状である。側方領域において、紙ストリップ１ｄが同様に折り返される際の２本の別の折り目４ｄ，５ｄを有する構成を紙ストリップ１ｄが持つ。そのため、引裂きストリップ１ｄの中央領域１３ｄは五重層状である。
【００２８】
引裂きストリップ１０ｄの側方領域１１ｄ，１２ｄおよび中央領域１３ｄの幅はそれぞれ、引裂きストリップ１０ｄの幅のおよそ３分の１である。
【００２９】
同様に二つの長手延在折り目２ｅ，３ｅを有する構成を持つ紙ストリップ１ｅから製造される引裂きストリップ１０ｅが、図６に図示されており、このため引裂きストリップ１０ｅの側方領域１１ｅ，１２ｅは二重層状である。引裂きストリップ１０ｅの中央領域１３ｅは、引裂きストリップ１０ｅが上に多数回折り重ねられる際の複数の長手延在折り目を有する構成を持つ。そのため、引裂きストリップ１０ｅの中央領域１３ｅは六重層状である。
【００３０】
引裂きストリップ１０ｅの側方領域１１ｅ，１２ｅおよび中央領域１３ｅの幅はそれぞれ、引裂きストリップ１０ｅの幅のおよそ３分の１である。
【００３１】
同様に、紙ストリップ１ｆが折り返される際の２本の長手延在折り目２ｆ，３ｆを有する構成を持つ紙ストリップ１ｆから製造される引裂きストリップ１０ｆが、図７に図示されている。ここで、引裂きストリップ１０ｆの側方領域１１ｆ，１２ｆは二重層状である。また、引裂きストリップ１０ｆは、それぞれ引裂きストリップ１０が折り返される際の長手延在折り目４ｆ，５ｆ，６ｆを有する構成を持ち、そのため中央領域１３ｆでの引裂きストリップ１０ｆは六重層状である。
【００３２】
引裂きストリップ１０ｆの側方領域１１ｆ，１２ｆおよび中央領域１３ｆの幅はそれぞれ、引裂きストリップ１０ｆの幅のおよそ３分の１である。
【００３３】
紙ストリップ１ｇが折り返される際の長手延在折り目２ｇ，３ｇを有する構成を持つ紙ストリップ１ｇから製造される引裂きストリップ１０ｇが、図８に図示されている。ここで、二つの側方領域１１ｇ，１２ｇでの引裂きストリップ１０ｇは、二重層状である。また、紙ストリップ１ｇが折り返される際の別の折り目４ｇ，５ｇ，６ｇを有する構成を紙ストリップ１ｇは持ち、そのため中央領域１３ｇでの引裂きストリップ１０ｇは六重層状である。
【００３４】
引裂きストリップ１０ｇの側方領域１１ｇ，１２ｇおよび中央領域１３ｇの幅はそれぞれ、引裂きストリップ１０ｇの幅のおよそ３分の１である。
【００３５】
図１および２の実施形態と比べると、図３から８の実施形態は、引裂きストリップ１０ｂ，１０ｃ，１０ｄ，１０ｅ，１０ｆ，１０ｇの中央領域１３ｂ，１３ｃ，１４ｄ，１３ｅ，１３ｆ，１３ｇにおいて、引裂きストリップの上側と下側にある両方の周辺部に沿ってそれぞれ折り目を有する構成を持ち、そのため中央領域では高いエッジ引裂き強度が保証されるので、有利である。
【００３６】
紙ストリップが二つの側方領域と一つの中央領域とを有して、それぞれ、側方領域が中央領域よりも小さい厚さのものであるか、二つの側方領域と比べて中央領域が少なくとも１．５倍大きい厚さを有するように、紙ストリップが上に折り重ねられる際の少なくとも３本の長手延在折り目を有する構成を持つ単一の紙ストリップから引裂きストリップが成ることは、本発明による引裂きストリップに関連性がある。引裂きストリップの側方領域は二重層状であり、中央領域は少なくとも四重層状である。
【００３７】
側方領域はそれぞれ、引裂きストリップの幅の１０分の１から３分の１の幅を有する。引裂きストリップの中央領域は、引裂きストリップの幅の１０分の８から３分の１の幅を有する。好ましくは、引裂きストリップの側方領域および中央領域の幅はそれぞれ、引裂きストリップの幅のおよそ３分の１である。引裂きストリップの側方領域とともに中央領域は折り目を有する構成を持つので、この引裂きストリップは、側方領域とともに中央領域の両方で、高いエッジ引裂き強度を有する。中央領域が少なくとも四重層状であるため、この引裂きストリップはまた、非常に高い引張り強度を有する。
【００３８】
個々の層は、部分的または全体的に互いに接着剤結合（つまり接合）される。すなわち、引裂きストリップの中央領域に配置される層は、互いに接着剤結合されているのである。ポリビニルアセテート（ＰＶＡ）をベースとする分散接着剤が、接着剤として使用されうる。
【００３９】
クラフト紙または袋用紙と呼ばれる最高強度の紙が、このタイプの引裂きストリップを製造するのに使用されうる。クラフト紙は、７０ｇ／ｍ２から２５０ｇ／ｍ２の表面積当たり重量と、２％から１５％の長手方向伸長度とを有する。クラフト紙はほぼ完全に、長繊維針葉樹材によるセルロース繊維から成る。
【００４０】
このタイプの引裂きストリップが製造されるために、第１方法ステップでは、長手延在折り目に沿った、引裂きストリップの中央領域で相互に重複する紙ストリップの第１領域の折り返しと、続く押圧とが実施される。それから、紙ストリップの少なくとも二つの別の領域のさらなる折り返しが、少なくとも２本の別の長手延在折り目に沿って実施される。
【００４１】
接着剤結合が実行される折畳み手順に先立って、紙ストリップのこれらの領域に接着剤が塗布される。
【００４２】
本発明は、以下の特徴を有する。
［１］
製紙プラントで巻取り紙を裁断するための引裂きストリップであって、
紙ストリップが上に折り重ねられて中央ストリップ部分と側方ストリップ部分とを画定する際の２本の長手延在側方折り目が形成された長尺紙ストリップであって、前記中央ストリップ部分が前記側方ストリップ部分よりも少なくとも１．５倍大きな厚さを有して、前記前記中央ストリップ部分が前記紙ストリップの幅の少なくとも５分の１の幅を有し、前記側方ストリップ部分の各々が前記中央ストリップ部分の前記幅の少なくとも１０分の１の幅を有し、前記中央ストリップ部分が少なくとも４層を備える少なくとも四重層状となるための少なくとも一つの折り目を前記中央ストリップ部分が有する、長尺紙ストリップ、
を含む引裂きストリップ。
［２］
前記紙ストリップが再び折り返される際の少なくとも２本の長手延在折り目が前記中央ストリップ部分に形成されるため、前記引裂きストリップの中央領域が少なくとも５層を備える少なくとも五重層状である、上記［１］に記載の引裂きストリップ。
［３］
前記紙ストリップが再び折り返される際の３本の別の長手延在折り目が前記中央ストリップ部分に形成されるため、前記引裂きストリップの前記中央領域が少なくとも６層を備える少なくとも六重層状である、上記［２］に記載の引裂きストリップ。
［４］
互いの上に折り重ねられる前記引裂きストリップの部分が部分的または全体的に互いに接着剤結合される、上記［１］に記載の引裂きストリップ。
［５］
互いの上に折り重ねられる前記中央ストリップ部分の部分が部分的または全体的に互いに接着剤結合される、上記［１］に記載の引裂きストリップ。
［６］
前記引裂きストリップを形成する前記長尺紙ストリップがクラフト紙から製造される、上記［１］に記載の引裂きストリップ。
【符号の説明】
【００４３】
１，１ａ，１ｂ，１ｃ，１ｄ，１ｅ，１ｆ，１ｇ  紙ストリップ
２，２ａ，２ｂ，２ｃ，２ｄ，２ｅ，２ｆ，２ｇ  折り目
３，３ａ，３ｂ，３ｃ，３ｄ，３ｅ，３ｆ，３ｇ  折り目
４，４ａ，４ｂ，４ｃ，４ｄ，４ｆ，４ｇ  折り目
５ｂ，５ｃ，５ｄ，５ｆ，５ｇ  折り目
６，６ａ，６ｂ，６ｃ  領域
６ｆ，６ｇ  折り目
７，７ｂ，７ｃ  領域
８，８ａ  領域
１０，１０ａ，１０ｂ，１０ｃ，１０ｄ，１０ｅ，１０ｆ，１０ｇ  引裂きストリップ
１１，１１ａ，１１ｂ，１１ｃ，１１ｄ，１１ｅ，１１ｆ，１１ｇ  側方領域
１２，１２ａ，１２ｂ，１２ｃ，１２ｄ，１２ｅ，１２ｆ，１２ｇ  側方領域
１３，１３ａ，１３ｂ，１３ｃ，１３ｄ，１３ｅ，１３ｆ，１３ｇ  中央領域
【図１】
0006636895.tif 000002
【図２】
0006636895.tif 000003
【図３】
0006636895.tif 000004
【図４】
0006636895.tif 000005
【図５】
0006636895.tif 000006
【図６】
0006636895.tif 000007
【図７】
0006636895.tif 000008
【図８】
0006636895.tif 000009